(57)【要約】【課題】列状に収納された収納ケースから、光学レンズを外気に触れない状態で検査治具に光学レンズを移動させて、光学レンズを検査する光学素子検査方法、及び、容易に光学レンズの出し入れができ、任意の光学レンズも簡単に取り出すことができ、また、ハンドリングミスも少なく、単純な構造で容易に製造することのできる光学素子検査用治具を提供する。【解決手段】光学レンズ９０を検査するための光学素子検査用治具１０は、長尺な治具本体１と、治具本体１に対して短軸方向に開閉可能な蓋部２と、を備える。治具本体１と蓋部２とを互いに重ね合わせて閉じた状態とした際に、内部に複数の光学レンズ９０を長尺方向に沿って収納する筒状の第１の収納部４が形成され、第１の収納部４は、当該第１の収納部４に収納された光学レンズの光学面以外の周辺部９５，９７と接触して保持する第１の保持部を有する。【選択図】図５
2011013015.tif 000002
【特許請求の範囲】
【請求項１】
光学素子が収納された収納ケースと、前記光学素子を検査するための光学素子検査用治具と、を使用して前記光学素子を検査する光学素子検査方法であって、
前記光学素子検査用治具は、前記光学素子を列状に載置する治具本体と、前記治具本体に対して前記光学素子が列状に並んでいる方向を軸として開閉可能な蓋部と、を備え、
前記治具本体と前記蓋部とを互いに重ね合わせて閉じた状態とした際に、内部に複数の前記光学素子を列状に収納する筒状の第１の収納部が形成され、
前記第１の収納部は、当該第１の収納部に収納された前記光学素子の光学面とは接触せずに、光学面以外の部分と接触しつつ、光学素子が列方向に移動可能に保持する第１の保持部を有し、
前記収納ケースは、内部に複数の前記光学素子を列状に沿って収納する筒状の第２の収納部が形成され、
前記第２の収納部は、当該第２の収納部に収納された前記光学素子の光学面とは接触せずに、光学面以外の部分と接触しつつ、光学素子が列方向に移動可能に保持する第２の保持部を有し、
前記光学素子検査用治具及び前記収納ケースを互いに嵌合させた状態で、前記第１の保持部と前記第２の保持部とは、互いに面一であり、
前記嵌合させた状態のまま、前記第２の収納部に収納された複数の光学素子をスライド移動させることによって、前記第１の収納部に移し替えた後、前記第１の収納部に収納された前記光学素子を検査することを特徴とする光学素子検査方法。
【請求項２】
光学素子が収納された収納ケースから前記光学素子を移し替えて、列状に収納し前記光学素子を検査するための光学素子検査用治具であって、
前記光学素子を列状に載置する治具本体と、
前記治具本体に対して前記光学素子が列状に並んでいる方向を軸方向として開閉可能な蓋部と、を備え、
前記治具本体と前記蓋部とを互いに重ね合わせて閉じた状態とした際に、内部に複数の前記光学素子を列状に収納する筒状の第１の収納部が形成され、
前記第１の収納部は、当該第１の収納部に収納された前記光学素子の光学面とは接触せずに、光学面以外の部分と接触しつつ光学素子が列方向に移動可能に保持する第１の保持部を有し、
前記治具本体及び前記蓋部に、前記収納ケースを嵌合させる嵌合部が設けられていることを特徴とする光学素子検査用治具。
【請求項３】
前記治具本体及び前記蓋部は、透明又は半透明であることを特徴とする請求項２に記載の光学素子検査用治具。
【請求項４】
前記治具本体と前記蓋部とは、蝶番により接合されていることを特徴とする請求項２又は３に記載の光学素子検査用治具。
【請求項５】
前記第１の収納部の長さは、前記光学素子を２０個以上収納可能な長さであることを特徴とする請求項２〜４のいずれか一項に記載の光学素子検査用治具。
【発明の詳細な説明】
【技術分野】
【０００１】
本発明は、光学素子検査方法及び光学素子検査用治具に関する。
【背景技術】
【０００２】
従来より、レンズなどの光学製品は、レンズが外気に触れないように運搬したり保管するため、アクリル材料などを用いた収納ケース内に収納されている。収納ケースの形状としては、レンズを収容可能なレンズ収容孔を多数設けた２つのレンズパレット片からなるものが知られている。この場合、一方のレンズパレット片に他方のレンズパレット片を重ね合わせて両レンズパレット片間で各レンズ収容孔に多数のレンズを収納し、保持固定する。（例えば、特許文献１参照）。
また、パレットの上下面を貫通する窪みを多数設け、これら窪みにレンズを収納し、搬送・検査する技術も知られている（例えば、特許文献２参照）。
そして、レンズに対して洗浄後の検査コート処理や、コート処理後の検査を行う場合には、レンズが収納ケースに収納され外気に触れていない状態から、蓋の役割をしているパレットを取り外して、別の検査装置にレンズを移動させるため、パレット内のレンズを全て外気に触れさせてしまう。
上記特許文献１及び２に記載の収納ケースの場合、上記のようにレンズを収納した状態では蓋等で覆われておらず、レンズが露出しているので、検査前に環境内の埃やゴミが容易に付着するという問題がある。また、その結果、環境のクリーン化が要求される。
さらに、レンズ１個当たり、レンズ収容孔や窪みを１個設けなければならず、単位面積当たりの収納効率が悪く、検査効率も悪い。
特に、特許文献１では、検査時に不良が発生した場合、レンズ収容孔が円形状であり、レンズも平面視円形状であるため、不良レンズの取り出しがしにくく、ハンドリングミスによる不良が発生し易い。
一方、筒状のケースカバーと下のケース台とが嵌合接着して形成された収納ケースで、その開放した端部からレンズを順次挿入して収納するレール式のものがある（例えば、特許文献３、４参照）。これらのレール式の収納ケースでは、開放した端部から１個づつレンズをスライドさせるように収納ケース内に収納させる。この収納方法の場合、レンズ同士が衝突する場合があるが、レンズの光学部分が衝突しないように設計するなどの対策を行うことで、レンズ同士の衝突による問題を解決している。そして、レンズを挿入した後、開放した端部に栓が嵌め込まれて端部からのレンズの脱落を防止させている。
【先行技術文献】
【特許文献】
【０００３】
【特許文献１】特開２００１−２２１９０２号公報
【特許文献２】特開平６−２９８２５８号公報
【特許文献３】実開平７−３５３８８号公報
【特許文献４】特開２０００−１０９１５８号公報
【発明の概要】
【発明が解決しようとする課題】
【０００４】
ところで、上記特許文献３、４の収納ケースはレンズの運搬や移動に用いることが多いので、特許文献３，４に記載されているように嵌合接着して形成されており、収納ケース内にレンズが一列に並んで収納される。この場合、特許文献１，２のようなパレット状の収納容器に対して、コンパクトな収納容器となり、大量のレンズを運搬や移動させるのに有効な構造である。一方、運搬や移動を主な目的とした収納容器であるため、１個ずつ取り出すような検査のことは考慮されていない。つまり、収納ケースの開放した端部からのみ出し入れ可能であるため、検査のために、収納されたレンズの表面状態や光学性能を評価しようとすると、レンズの出し入れに時間がかかり、取り出すさいにも外気に触れてゴミが付着するという問題がある。また、出し入れの際にハンドリングミスが発生し易い。さらに、特定のレンズのみを取り出そうとすると、レンズが一列に順に並んでいるので、特定のレンズのみを取り出すことができない。
そこで、このようなレール式の収納ケースを、例えば、上下に開閉可能な開閉式にして、検査時にレンズを取り出しやすくしようとすると、構造上難しく製造が困難であるうえ、レンズの運搬や移動を行うという主な目的に対して、移動中に開閉してしまうと、その主な目的を達成することができないので、開閉を確実にロックする構造が必須となる。しかしながら、レンズを運搬、移動するという目的に対して、容器を開閉可能な構造にしたり、開閉をロックするような構造とすることは、運搬や移動を主な目的とした収納容器としては大げさであり、材料も余分にかかりコストが増加するという問題が発生する。
本発明は、上記事情に鑑みてなされたもので、列状に収納された収納ケースから、光学レンズを外気に触れない状態で検査治具に光学レンズを移動させて、光学レンズを検査する光学素子検査方法、及び、容易に光学レンズの出し入れができ、任意の光学レンズも簡単に取り出すことができ、また、ハンドリングミスも少なく、単純な構造で容易に製造することのできる光学素子検査用治具を提供することを目的としている。
【課題を解決するための手段】
【０００５】
本発明の一態様によれば、光学素子が収納された収納ケースと、前記光学素子を検査するための光学素子検査用治具と、を使用して前記光学素子を検査する光学素子検査方法であって、
前記光学素子検査用治具は、前記光学素子を列状に載置する治具本体と、前記治具本体に対して前記光学素子が列状に並んでいる方向を軸として開閉可能な蓋部と、を備え、
前記治具本体と前記蓋部とを互いに重ね合わせて閉じた状態とした際に、内部に複数の前記光学素子を列状に収納する筒状の第１の収納部が形成され、
前記第１の収納部は、当該第１の収納部に収納された前記光学素子の光学面とは接触せずに、光学面以外の部分と接触しつつ、光学素子が列方向に移動可能に保持する第１の保持部を有し、
前記収納ケースは、内部に複数の前記光学素子を列状に沿って収納する筒状の第２の収納部が形成され、
前記第２の収納部は、当該第２の収納部に収納された前記光学素子の光学面とは接触せずに、光学面以外の部分と接触しつつ、光学素子が列方向に移動可能に保持する第２の保持部を有し、
前記光学素子検査用治具及び前記収納ケースを互いに嵌合させた状態で、前記第１の保持部と前記第２の保持部とは、互いに面一であり、
前記嵌合させた状態のまま前記光学素子検査用治具及び前記収納ケースを傾けて、前記第２の収納部に収納された複数の光学素子をスライド移動させることによって、前記第１の収納部に移し替えた後、前記第１の収納部に収納された前記光学素子を検査することを特徴とする光学素子検査方法が提供される。
【０００６】
本発明の他の態様によれば、光学素子が収納された収納ケースと、前記光学素子を検査するための光学素子検査用治具と、を使用して前記光学素子を検査する光学素子検査方法であって、
前記光学素子検査用治具は、前記光学素子を列状に載置する治具本体と、前記治具本体に対して前記光学素子が列状に並んでいる方向を軸として開閉可能な蓋部と、を備え、
前記治具本体と前記蓋部とを互いに重ね合わせて閉じた状態とした際に、内部に複数の前記光学素子を列状に収納する筒状の第１の収納部が形成され、
前記第１の収納部は、当該第１の収納部に収納された前記光学素子の光学面とは接触せずに、光学面以外の部分と接触しつつ、光学素子が列方向に移動可能に保持する第１の保持部を有し、
前記収納ケースは、内部に複数の前記光学素子を列状に沿って収納する筒状の第２の収納部が形成され、
前記第２の収納部は、当該第２の収納部に収納された前記光学素子の光学面とは接触せずに、光学面以外の部分と接触しつつ、光学素子が列方向に移動可能に保持する第２の保持部を有し、
前記光学素子検査用治具及び前記収納ケースを互いに嵌合させた状態で、前記第１の保持部と前記第２の保持部とは、互いに面一であり、
前記嵌合させた状態のまま前記光学素子検査用治具及び前記収納ケースを傾けて、前記第２の収納部に収納された複数の光学素子をスライド移動させることによって、前記第１の収納部に移し替えた後、前記第１の収納部に収納された前記光学素子を検査することを特徴とする光学素子検査方法が提供される。
【発明の効果】
【０００７】
本発明の第１の態様の光学素子検査方法によれば、例えば光学レンズを検査する際に、収納ケースから検査治具への好学レンズの移動の際に外気に触れることなく行えることができる。収納効率が良い収納ケースを用い、かつ、収納ケースに収納された光学レンズを一度に大量に検査することができる検査用治具を使用しているため、検査効率にも優れる。第１の保持部は光学面以外の部分と接触して保持するので、光学面の損傷や静電気の発生を防止することができる。本発明の第２の態様の光学素子検査用治具によれば、容易に光学レンズの出し入れができ、任意の光学レンズも簡単に取り出すことができる。また、単純な構造で製造も容易である。
【図面の簡単な説明】
【０００８】
【図１】光学素子検査用治具の外観斜視図である。
【図２】光学素子検査用治具の要部を示した斜視図である。
【図３】光学素子検査用治具を開いた状態の要部を示した斜視図である。
【図４】(a)は、図１のI−I矢視側面図で一部断面を示した図、(b)は、図１のII−II矢視側面図である。
【図５】(a)は、光学素子検査用治具に光学レンズを収納した状態の図１のII−II矢視側面図、(b)は、光学素子検査用治具に光学レンズを収納した状態を模式的に示しており、図１のI−I矢視断面図である。
【図６】(a)は、治具本体の蓋部との対向面における平面図、(b)は、図６(a)のIII−III矢視側面図、(c)は、図６(a)のIV−IV矢視断面図であり、(b)及び(c)は一部の光学レンズが収納されている。
【図７】図６(b)の拡大図である。
【図８】(a)は、蓋部の治具本体との対向面における平面図、(b)は、図８(a)のV−V矢視側面図、(c)は、図８(a)のVI−VI矢視断面図であり、(b)及び(c)は一部の光学レンズが収納されている。
【図９】図８(b)の拡大図である。
【図１０】収納ケースを光学素子検査用治具に挿入して嵌合させた状態における外観斜視図である。
【図１１】(a)は、収納ケースに光学レンズを収納した状態の側面図、(b)は、収納ケースに光学レンズを収納した状態を模式的に示しており、図１２(a)のIX−IX矢視断面図である。
【図１２】(a)は、第１のケース体の第２のケース体との対向面における平面図、(b)は、図１２(a)のVII−VII矢視側面図である。
【図１３】図１２(b)の拡大図である。
【図１４】(a)は、第２のケース体の第１のケース体との対向面における平面図、(b)は、図１４(a)のVIII−VIII矢視側面図である。
【図１５】図１４(b)の拡大図である。
【発明を実施するための形態】
【０００９】
次に、図面を参照しながら本発明の好ましい実施形態について説明する。
[光学レンズ]
図５に示すように、本発明に係る光学素子検査用治具に列状に収納され検査される光学レンズ９０は、例えば樹脂性の光ピックアップレンズであり、凸状の凸レンズ部９４が形成され、反対側にも凸状の凸レンズ部９６が形成され、凸レンズ部９４，９６のほぼ全周にわたって１段の段差を破産でフランジと呼ばれる略平坦面を有する周辺部９５，９７が形成されている。凸レンズ部９６の厚さ９６ｈは、凸レンズ部９４の厚さ９４Ｈよりも厚く形成されている。
光学レンズ９０は樹脂を成形した部位で光透過性を有し、特に凸レンズ部９４，９６はレンズ機能（光学機能）を発揮するレンズ有効部（光学面）となっている。これら凸レンズ部９４，９６同士で光軸が互いに一致している。
【００１０】
[光学素子検査用治具]
図１〜図５に示すように、光学素子検査用治具１０は、長尺な治具本体１と、治具本体１に対して長軸方向に開閉可能な蓋部２と、を備えている。これら治具本体１及び蓋部２は、透明又は半透明の樹脂製であり、例えばアクリル板等を所望形状に削ることによって形成される。
【００１１】
《治具本体》
図６に示すように、治具本体１は、長尺な矩形板状をなしている。治具本体１の蓋部２に対向する面で、その一端部１aには、当該一端部１aを切り欠く切欠部１１が形成されている。
切欠部１１は、平面視略矩形状をなしている。
また、治具本体１の蓋部２に対向する面には、光学レンズ９０を長尺方向に沿って並べて収納可能な第１の溝部１２が形成されている。
【００１２】
第１の溝部１２の一端部は切欠部１１に連通し、第１の溝部１２の他端部は治具本体１の他端面を貫通している。図５〜図７に示すように、第１の溝部１２は、治具本体１の表面（蓋部２に対向する面）１Ａから一段窪んで形成された段差部１３と、さらに一段窪んで形成された段差部１４とから形成されており、二段の階段状となっている。
一段目の段差部１３を形成する段差面１３aには、光学レンズ９０の光学面（凸レンズ部９４）以外の部分（周辺部９５）が接触するようになっている。つまり、光学レンズ９０の周辺部９５が段差面１３aに接触して保持されるようになっている。二段目の段差部１４の深さＨは、光学レンズ９０の凸レンズ部９４の高さ９４Hよりも深く形成されており、凸レンズ部９４が二段目の段差部１４を形成する段差面１４aに接触しないようになっている。
また、治具本体１の表面１Ａと一段目の段差部１３との間を形成する壁面は、一段目の段差部１３から治具本体１の表面１Ａに向けて幅広となるようなテーパー面１Ｂとされている。このようにテーパー面１Ｂとすることによって、開閉の際に治具本体１が光学レンズ９０に接触するのを回避することができる。
また、治具本体１の第１の溝部１２のうち他端部にはピンＰが差し込まれており、このピンＰによって収納した光学レンズ９０が光学素子検査用治具１０の他端部１０b側から脱落しないようになっている。
【００１３】
《蓋部》
図５、図８、図９に示すように、蓋部２は、治具本体１と同様に長尺な矩形板状をなしている。蓋部２の治具本体１に対向する面の一端部２aには、当該一端部２aを切り欠く切欠部２１が形成されている。
切欠部２１は、治具本体１の切欠部１１と同様の平面視略矩形状をなし、治具本体１と蓋部２とを閉じた状態とした際に、切欠部２１と治具本体１の切欠部１１とによって筒状の嵌合部３が形成される。嵌合部３には、後述の収納ケース５０の一端部が収納されるようになっている（図１０参照）。
また、蓋部２の治具本体１に対向する面には、光学レンズ９０を長尺方向に沿って並べて収納可能な第１の溝部２２が形成されている。
【００１４】
第１の溝部２２の一端部は切欠部２１に連通し、第１の溝部２２の他端部は蓋部２の他端面を貫通している。第１の溝部２２は、蓋部２の表面（治具本体１に対向する面）２Ａから一段窪んで形成された段差部２３と、さらに一段窪んで形成された段差部２４とから形成されており、二段の階段状となっている。
一段目の段差部２３を形成する段差面２３aには、光学レンズ９０の周辺部９７が接触するようになっている。つまり、光学レンズ９０の周辺部９７が段差面２３aに接触して保持されるようになっている。二段目の段差部２４の深さｈは、光学レンズ９０の凸レンズ部９６の高さ９６ｈよりも深く形成されており、凸レンズ部９６が二段目の段差部２４を形成する段差面２４aに接触しないようになっている。
また、蓋部２の表面２Ａと一段目の段差部２３との間を形成する壁面は、一段目の段差部２３から蓋部２の表面２Ａに向けて幅広となるようなテーパー面２Ｂとされている。さらに、一段目の段差部２３と二段目の段差部２４との間を形成する壁面も、二段目の段差部２４から一段目の段差部２３に向けて幅広となるようなテーパー面２Ｃとされている。このようにテーパー面２Ｂ，２Ｃとすることによって、開閉の際に蓋部２が光学レンズ９０の端部に接触するのを回避することができる。
【００１５】
図５に示すように、治具本体１と蓋部２とを閉じた状態とした際に、治具本体１の第１の溝部１２と蓋部２の第１の溝部２２とによって筒状の第１の収納部４が形成される。第１の収納部４には、光学レンズ９０が収納されるようになっている。第１の収納部４の長さは、光学レンズ９０が例えば２０個以上収納可能な長さに設定されている。このような長さとすることで、光学レンズ９０の収納効率及び検査効率に優れる。
第１の収納部４には、複数の光学レンズ９０がその凸レンズ部９６を蓋部２の第１の溝部２２に配置するとともに、凸レンズ部９４を治具本体１の第１の溝部１２に配置して、長尺方向に沿って収納されている。
第１の収納部４に光学レンズ９０が収納された状態では、光学レンズ９０の周辺部９５，９７が治具本体１の一段目の段差部１３の段差面１３aと接触し、蓋部２の一段目の段差部２３の段差面２３aとは微小の間隔を有している。この微小の間隔は、光学レンズ９０の凸レンズ部９６と、蓋部２の段差部２４の間隔よりも小さい間隔であるとともに、光学レンズ９０の凸レンズ部９４と、治具本体１の段差部１４の間隔よりも小さい間隔である。これによって光学レンズ９０は、凸レンズ部９４，９６は治具本体１や蓋部２と接触しないで、収納部４内を長軸方向に移動可能な状態で緩やかに保持されおり、一段目の段差部１３及び一段目の段差部２３で形成される空間によって光学レンズ９０の周辺部９５，９７を緩やかに保持する第１の保持部が構成されている。
また、一段目の段差部１３の深さFと一段目の段差部２３の深さｆとはほぼ等しく、これら深さＦや深さｆは光学レンズ９０の周辺部９５，９７の厚さの半分の厚さより微小に深い。つまり、光学レンズ９０の外周縁の厚さ方向における中心位置に、治具本体１の表面１Ａ及び蓋部２の表面２Ａが位置している。このように構成することで、治具本体１に対して蓋部２が開閉する際に、光学レンズ９０の端部と接触しないように設ける１Ｂと２Ｂのテーパー面を同じ大きさに成形することができるので、光学レンズ９０の周辺部９５，９７の蓋部２側と治具本体１側をそれぞれ位置決めすることができる。
また、テーパー面１Ｂとテーパー面２Ｂとは、光学レンズ９０の光軸と直交方向（以下横方向という）の位置を規制するように構成されている。つまり、収納部４内を、光学レンズ９０が横方向に微小に移動可能なように、テーパー面１Ｂ，２Ｂ、段差部１３、２３を構成することにより、光学レンズ９０の凸部９４，９６が収納部４の内面に接触しない状態で、収納部４内を移動可能に構成できる。
【００１６】
治具本体１と蓋部２とは、長手方向における一方の側面において例えば蝶番、スナップフィット、フック式、テープ等によって短軸方向に開閉可能に構成されている。本実施形態では、テープＳによって接合されている（図４、図５(a)参照）。
【００１７】
[収納ケース]
図１０、図１１に示すように、収納ケース５０は、第１のケース体６０と、第２のケース体７０とを備え、これらが溶着されて一体化されている。第１のケース体６０及び第２のケース体７０は、透明又は半透明の樹脂製であり、例えば射出成形によって形成される。
【００１８】
《第１のケース体》
図１２、図１３に示すように、第１のケース体６０は、長尺な矩形板状をなしている。第１のケース体６０の第２のケース体７０に対向する面には、第２のケース体７０の凹部７１に嵌め込まれる凸部６１が形成されている。
凸部６１には、光学レンズ９０を長尺方向に沿って並べて収納可能な第２の溝部６２が形成されている。
【００１９】
第２の溝部６２は、第１のケース体６０の両端面を貫通している。第２の溝部６２は、凸部６１を形成する凸面６０Ａから一段窪んで形成された段差部６３から形成されており、一段の階段状となっている。
図１１に示すように、凸部６１を形成する凸面６０Ａには、光学レンズ９０の周辺部９５が接触できるように構成されている。つまり、光学レンズ９０の周辺部９５が凸面６０Ａに接触されるようになっている。段差部６３の深さＭは、光学レンズ９０の凸レンズ部９４の高さ９４Ｍよりも深く形成されており、凸レンズ部９４が段差部６３を形成する段差面６３aに接触しないようになっている。
また、凸部６１の両側には、第２のケース体７０と溶着するための突起６５が形成されている。
【００２０】
《第２のケース体》
図１４、図１５に示すように、第２のケース体７０は、長尺な矩形板状をなしている。第２のケース体７０の第１のケース体６０に対向する面には、第１のケース体６０の凸部６１が嵌め込まれる凹部７１が形成されている。凹部７１には、光学レンズ９０を長尺方向に沿って並べて収納可能な第２の溝部７２が形成されている。
【００２１】
第２の溝部７２は、第２のケース体７０の両端面を貫通している。第２の溝部７２は、凹部７１を形成する凹面７０Ａから一段窪んで形成された段差部７３から形成されており、一段の階段状となっている。
【００２２】
図１１に示すように、凹部７１を形成する凹面７０Ａには、光学レンズ９０の周辺部９７が接触できるように構成されている。つまり、光学レンズ９０の周辺部９７が凹面７０Ａに接触されるようになっている。段差部７３の深さｍは、光学レンズ９０の凸レンズ部９６の高さ９６ｍよりも深く形成されており、凸レンズ部９６が段差部７３を形成する段差面７３aに接触しないようになっている。
【００２３】
第２のケース体７０の凹部７１に第１のケース体６０の凸部６１が嵌め込まれて、突起６５を第２のケース体７０に溶着することによって収納ケース５０が形成される。
そして、第１のケース体６０の第２の溝部６２と第２のケース体７０の第２の溝部７２とによって筒状の第２の収納部８が形成される。第２の収納部８には、複数の光学レンズ９０が収納されるようになっている。第２の収納部８の長さは、光学レンズ９０が例えば２０個以上収納可能な長さに設定されている。このような長さとすることで、光学レンズ９０の収納効率及び検査効率に優れる。
第２の収納部８には、複数の光学レンズ９０がその凸レンズ部９６を第２のケース体７０の第２の溝部７２に配置するとともに、凸レンズ部９４を第１のケース体６０の第２の溝部６２に配置して、長尺方向に沿って並べて収納されている。
第２の収納部８に光学レンズ９０が収納された状態では、光学レンズ９０の周辺部９５が凸面６０Ａに接触した状態で、周辺部９７と凹面７０Ａは微小の間隔を有している。これによって光学レンズ９０の凸レンズ部９４，９６は収納ケース５０内と接触しないで、収納部ケース５０内を長軸方向に移動可能な状態で緩やかに保持されている。また、凹部７１の横方向は、光学レンズ９０の光軸と直交方向（以下横方向という）の位置を規制するように構成されている。つまり、収納部８内を、光学レンズ９０が横方向に微小に移動可能なように、凹面７１、や７０Ａ，６０Ａを構成することにより、光学レンズ９０の凸部９４，９６が収納部８の内面に接触しない状態で、収納部８内を移動可能に構成できる。
【００２４】
また、収納ケース５０の一端部を光学素子検査用治具１０の嵌合部３に嵌合させた際に、光学素子検査用治具１０の第１の収納部４の段差面１３aと収納ケース５０の第２の収納部８の凸面６０Ａ、及び、光学素子検査用治具１０の第１の収納部４の段差面２３aと収納ケース５０の第２の収納部８の凹面７０Ａとが互いに面一となっている。
なお、図１１（b）に示すように、収納ケース５０の第２の収納部８の開口した両端面には、当該両端面と同形状の断面を有するキャップＣがそれぞれ嵌め込まれており、これらキャップＣによって収納した光学レンズ９０が収納ケース５０の両端部から脱落しないようになっている。
【００２５】
次に、収納ケース５０に収納された光学レンズ９０を光学素子検査用治具１０に移し替えて光学レンズ９０を検査するまでの手順について説明する。
まず、収納ケース５０の一端部側のキャップＣを取り外し、収納ケース５０の一端部を光学素子検査用治具１０の嵌合部３に挿入して、収納ケース５０の一端部を光学素子検査用治具１０の嵌合部３に嵌合させる。
次いで、嵌合させたままの状態で、収納ケース５０をキャップＣを取り外した側が下になるようにして傾けて、収納ケース５０内の光学レンズ９０を光学素子検査用治具１０の第１の収納部４側へと移し替える。このとき、第１の収納部４の段差面１３a，２３aと、第２の収納部８の凸面６０Ａ及び凹面７０Ａとがそれぞれ面一となっているので、光学レンズ９０はスムーズに移動する。その際には、光学レンズ９０の凸レンズ部９４，９６は収納ケース５０及び光学素子検査用治具１０の内面には接触しないで、凸レンズ９４，９６の周辺部９５（又は周辺部９７）が凸面６０Ａ（又は凹面７０Ａ）に接触して移動する。
光学素子検査用治具１０内に移動した光学レンズ９０を検査する場合には、蓋部２を開いて外観上の不良がないかを検査したり、所望の光学レンズ９０を取り出したのち、詳細な検査を行う。また、不良があった場合には不良の光学レンズ９０を取り出す。
検査が終了して光学レンズ９０を別の場所に移動する場合には、上述とは逆に、嵌合させたままの状態で、収納ケース５０をキャップＣを取り外した側が上になるようにして傾けて、光学素子検査用治具１０の第１の収納部４内の光学レンズ９０を収納ケース５０へと移し替える。
また、光学素子検査用治具１０に設けられたピンＰをはずして、嵌合部３の反対側から光学レンズ９０を押し出すように光学レンズ９０を移動させてもよい。
【００２６】
以上、本実施形態の光学素子検査用治具１０によれば、治具本体１と蓋部２とを備え、治具本体１と蓋部２とを互いに重ね合わせて閉じた状態とした際に、内部に複数の光学レンズ９０を長尺方向に沿って列状に収納する筒状の第１の収納部４が形成され、第１の収納部４は、当該第１の収納部４に収納された光学レンズ９０の凸レンズ部９４，９６とは接触せずに、光学面以外の周辺部９５（又は周辺部９７）と接触しつつ光学レンズ９０が移動可能となるように緩やかに保持する第１の保持部（一段目の段差部１３，２３によって形成される空間）を有するので、蓋部２の開閉により、容易に光学レンズ９０の出し入れができ、光学レンズ９０間の隙間にピンセット等を差し込むことで、任意の光学レンズ９０も簡単に取り出すことができる。また、ハンドリングミスも少なく短時間で行うことができる。さらに、蓋部２を閉じることによって光学レンズ９０が露出せずに、搬送時における埃やゴミ等の付着の問題もない。また、従来のようにレンズ収容孔や窪みを設ける必要もなく、筒状の第１の収納部４に複数の光学レンズ９０を長尺方向に沿って並べて収納することで、収納効率が良く、検査効率にも優れる。また、第１の保持部は、周辺部９５と接触して緩やかに保持するので、凸レンズ部９４，９６の損傷や静電気の発生を防止することができる。
さらに、蓋部２は、治具本体１に対して短軸方向に開閉可能であり、閉じた状態で内部に第１の収納部４が形成される単純な構造であるので、製造も容易である。
【００２７】
光学レンズ９０は、その凸レンズ部９４が治具本体１の第１の溝部１２内に配置され、凸レンズ部９６が蓋部２の第１の溝部２２内に配置されるので、収納した互いに隣接する光学レンズ９０同士において、凸レンズ部９４，９６同士が互いに接触せずに、周辺部９５，９７同士が接触することになるため、凸レンズ部９４，９６の損傷を防止することができる。
【００２８】
治具本体１及び蓋部２は、透明又は半透明であるので、蓋部２を閉じた状態で内部の光学レンズ９０を容易に観察することができる。例えば、光学レンズ９０の有無や個数、内部の状態等を判断することができる。
治具本体１と蓋部２とは蝶番やテープＳ等により接合されているので、単純な構造で確実に閉じた状態とすることができ、また開閉が容易である。さらに、治具本体１と蓋部２とを別体とした場合に比べて、蓋部２を閉じる際の位置決めが行い易い。
【００２９】
また、光学素子検査用治具１０及び収納ケース５０を互いに嵌合させた状態で、第１の保持部（一段目の段差部１３，２３を形成する段差面１３a，２３a）と第２の保持部（凸部６１を形成する凸面６０Ａ、凹部７１を形成する凹面７０Ａ）とは互いに面一であり、光学素子検査用治具１０及び収納ケース５０を互いに嵌合させた状態で光学素子検査用治具１０及び収納ケース５０を傾けて、収納ケース５０に収納された複数の光学レンズ９０をスライド移動させることによって光学素子検査用治具１０内に移し替えて、光学素子検査用治具１０内の光学レンズ９０を検査する。そのため、収納ケース５０内の光学レンズ９０を光学素子検査用治具１０内に簡単な操作で移し替えることができる。また、第１の保持部と第２の保持部とが互いに面一であるので、光学レンズ９０をスムーズに短時間で移動させることができ、光学レンズ９０の移し替え時に生じる不具合の発生を防止することができる。
【００３０】
なお、本発明は、上記実施形態に限定されるものではなく、その要旨を逸脱しない範囲で適宜変更可能である。
例えば、上記実施形態では、光学レンズ９０としてガラス基板９１の両面に凸レンズ部９４，９６を設けるものとしたが、ガラス基板の一方の面のみに凸レンズ部を設けた光学レンズにも適用することができる。また、凸レンズ部に限らず、凹レンズ部であっても良い。
光学素子検査用治具１０は、光学レンズ９０が列状に並んだ方向を軸方向として開閉可能な蓋部２を設けるとしたが、例えば、お弁当の箸箱のように、内部に光学レンズを収納する収納部を有する箱体と、箱体の上面開口を閉塞する蓋部とを備え、蓋部を箱体に対して長手方向にスライドさせることによって箱体内の収納部を開閉する構造としても良い。
【符号の説明】
【００３１】
１  治具本体
２  蓋部
３  嵌合部
４  第１の収納部
８  第２の収納部
１０  光学素子検査用治具
１３，２３  一段目の段差部
１３a，２３a  段差面（第１の保持部）
５０  収納ケース
６０Ａ  凸面（第２の保持部）
６３，７３  段差部
７０Ａ  凹面（第２の保持部）
９０  光学レンズ（光学素子）
９４，９６  凸レンズ部（光学面）
９５，９７  周辺部（光学面以外の部分）
【図１】
2011013015.tif 000003
【図２】
2011013015.tif 000004
【図３】
2011013015.tif 000005
【図４】
2011013015.tif 000006
【図５】
2011013015.tif 000007
【図６】
2011013015.tif 000008
【図７】
2011013015.tif 000009
【図８】
2011013015.tif 000010
【図９】
2011013015.tif 000011
【図１０】
2011013015.tif 000012
【図１１】
2011013015.tif 000013
【図１２】
2011013015.tif 000014
【図１３】
2011013015.tif 000015
【図１４】
2011013015.tif 000016
【図１５】
2011013015.tif 000017